(57)【要約】【課題】  誤り率を少なくし、かつ帯域外スペクトルの発生を防止する光アナログ伝送システムを提供する。【解決手段】  無線制御局１１０では、ＬＩＮＣ変調部１０１は、複素包絡線信号を複数の定振幅信号に分離し、定振幅信号の実部と虚部を直交変調し、電気／光変換部１０４，１０５は、アップコンバータ１０２，１０３は、ＬＩＣＮ変調部１０１の出力を無線周波数帯へアップコンバートし、各系統の信号を光強度変調信号に変換する。光ファイバーケーブル１３０，１４０は、変換された各系統の光強度変調信号を伝送し、無線基地局１２０では、光／電気変換部１２１，１２２は、光ファイバーケーブル１３０，１４０から受けた各系統の光強度変調信号を電気信号に変換し、増幅器１２３，１２４は、各系統の変換された電気信号を増幅し、信号合成部１２５は、各系統の増幅された信号を合成する。【選択図】        図１
2005079855.tif 000002
【特許請求の範囲】
【請求項１】
送信装置と受信装置とが光ケーブルで接続された光アナログ伝送システムであって、
送信装置は、
複素包絡線信号を複数系統の定振幅信号に分離し、前記定振幅信号の実部と虚部を直交変調する変調部と、
前記変調部から出力された各系統の信号を光強度変調信号に変換する第１変換部とを備え、
光ケーブルは、前記変換された各系統の光強度変調信号を伝送し、
受信装置は、
光ケーブルから受けた各系統の光強度変調信号を電気信号に変換する第２変換部と、
前記第２変換部が出力する各系統の信号を合成する合成部とを備えた光アナログ伝送システム。
【請求項２】
前記受信装置は、さらに、
前記第２変換部が出力する各系統の信号を増幅する増幅部を備え、
前記合成部は、前記各系統の増幅された信号を合成する、請求項１記載の光アナログ伝送システム。
【請求項３】
前記送信装置は、さらに、
前記変調部から出力される各系統の信号とともに、またはこれに代えて、総和が零となる複数の既知の信号を前記第１変換部に与える既知信号出力部を備え、
前記受信装置は、さらに、
前記第２変換部が出力する少なくとも１つの系統の信号の振幅を補正し、または前記第２変換部が出力する少なくとも１つの系統の信号の位相を補正する補正部と、
前記合成部から出力された信号に含まれる、前記複数の既知の信号によって生成された信号成分を抽出する抽出部と、
前記抽出部で抽出された信号成分の振幅が小さくなるように、前記補正部による振幅または位相の補正量を制御する制御部とを備えた請求項２記載の光アナログ伝送システム。
【請求項４】
前記変調部は、２系統の定振幅信号に分離し、
前記既知信号出力部は、前記変調部からの出力がないときに、トーン信号を一方の系統に与え、前記トーン信号と逆相のトーン信号を他方の系統に与える、請求項３記載の光アナログ伝送システム。
【請求項５】
前記変調部は、２系統の定振幅信号に分離し、
前記既知信号出力部は、前記変調部からの出力があるときに、所定の周波数のトーン信号を一方の系統に与え、前記トーン信号と逆相のトーン信号を他方の系統に与え、
前記抽出部は、前記合成部から出力される信号のうち、前記トーン信号から生成された信号成分のみを通すようにカットオフ周波数が定められたフィルタを含む、請求項３記載の光アナログ伝送システム。
【請求項６】
前記変調部は、２系統の定振幅信号に分離し、
前記既知信号出力部は、前記変調部からの出力がないときに、ユニークワード信号を一方の系統に与え、前記ユニークワード信号の符号が逆の信号を他方の系統に与え、
前記受信装置は、さらに、
前記第２変換部の出力信号からユニークワード信号を検出したときに、タイミング信号を出力する検出部を備え、
前記抽出部は、前記タイミング信号に基づいて、前記合成部から出力される信号を取得するスイッチを含む、請求項３記載の光アナログ伝送システム。
【請求項７】
前記変調部は、２系統の定振幅信号に分離し、
前記増幅部は、所定の範囲で線形動作が可能な増幅器であり、
前記補正部は、いずれか１つの系統に、前記第２変換部の出力信号の振幅を補正する振幅可変回路と位相を補正する位相可変回路とを含み、
前記制御部は、前記振幅可変回路の振幅補正量および前記位相可変回路の位相補正量を制御する、請求項３記載の光アナログ伝送システム。
【請求項８】
前記光アナログ伝送システムは、無線基地局システムに適用されるものであって、
前記送信装置および受信装置のいずれかは、無線周波数帯へのアップコンバートを行なうアップコンバータを備え、
前記受信装置は、前記合成部で合成された信号を無線端末に向けて送信する、請求項２記載の光アナログ伝送システム。
【発明の詳細な説明】
【技術分野】
【０００１】
本発明は、光アナログ伝送システムに関する。
【背景技術】
【０００２】
従来から、光ファイバの広帯域および低損失特性の利点により、光ファイバーケーブルを用いて信号を伝送する光アナログ伝送システムが様々な用途に用いらている。たとえば、非特許文献１では、光アナログ伝送システムによって、無線基地局システムを構築した例が記載されている。
【０００３】
この光アナログ伝送システムでは、１台の無線制御局が光ファイバによって、複数の無線基地局と接続される。移動局への信号の送信時には、無線制御局で、移動局へ送る信号の変調を行ない、光ファイバーケーブルを通じて無線基地局に送り、無線基地局で移動局へ送信を行なう。また、移動局からの信号の受信時には、無線基地局は、移動局から受信した信号を光ファイバーケーブルを通じて無線制御局に送り、無線制御局で、受けた信号の復調を行なう。
【０００４】
このような光アナログ伝送システムによって、無線基地局では、光ファイバーケーブルから受けた光強度変調信号を電気信号に変換し、電気信号を光強度変調信号に変換して光ファイバーケーブルへ送出すればよいので、無線基地局の構成を簡易にすることができる。
【非特許文献１】IEICE TRANS.ELECTRON., VOL.E76-C, NO.2 FEBRUALY 1993 p.271-p.278, "Performance Analysis of Optical Fiber Link for Microcellular Mobile Communication  Systems"
【発明の開示】
【発明が解決しようとする課題】
【０００５】
しかしながら、このような光アナログ伝送システムでは、非特許文献１に記載されているように、レーザダイオードによって、電気信号が光強度変調信号に変換されて、光ファイバーケーブルに送られるのだが、レーザダイオードの非線形性によって、伝送される信号の誤り率が劣化したり、帯域外スペクトルが発生する。
【０００６】
それゆえに、本発明の目的は、誤り率を少なくし、かつ帯域外スペクトルの発生を防止する光アナログ伝送システムを提供することである。
【課題を解決するための手段】
【０００７】
上記課題を解決するために、この発明に係わる光アナログ伝送システムは、送信装置と受信装置とが光ケーブルで接続された光アナログ伝送システムであって、送信装置は、複素包絡線信号を複数系統の定振幅信号に分離し、定振幅信号の実部と虚部を直交変調する変調部と、変調部から出力された各系統の信号を光強度変調信号に変換する第１変換部とを備え、光ケーブルは、変換された各系統の光強度変調信号を伝送し、受信装置は、光ケーブルから受けた各系統の光強度変調信号を電気信号に変換する第２変換部と、第２変換部が出力する各系統の信号を合成する合成部とを備える。
【０００８】
好ましくは、受信装置は、さらに、第２変換部が出力する各系統の信号を増幅する増幅部を備え、合成部は、各系統の増幅された信号を合成する。
【０００９】
好ましくは、送信装置は、さらに、変調部から出力される各系統の信号とともに、またはこれに代えて、総和が零となる複数の既知の信号を第１変換部に与える既知信号出力部を備え、受信装置は、さらに、第２変換部が出力する少なくとも１つの系統の信号の振幅を補正し、または第２変換部が出力する少なくとも１つの系統の信号の位相を補正する補正部と、合成部から出力された信号に含まれる、複数の既知の信号によって生成された信号成分を抽出する抽出部と、抽出部で抽出された信号成分の振幅が小さくなるように、補正部による振幅または位相の補正量を制御する制御部とを備える。
【００１０】
より好ましくは、変調部は、２系統の定振幅信号に分離し、既知信号出力部は、変調部からの出力がないときに、トーン信号を一方の系統に与え、トーン信号と逆相のトーン信号を他方の系統に与える。
【００１１】
より好ましくは、変調部は、２系統の定振幅信号に分離し、既知信号出力部は、変調部からの出力があるときに、所定の周波数のトーン信号を一方の系統に与え、トーン信号と逆相のトーン信号を他方の系統に与え、抽出部は、合成部から出力される信号のうち、トーン信号から生成された信号成分のみを通すようにカットオフ周波数が定められたフィルタを含む。
【００１２】
より好ましくは、変調部は、２系統の定振幅信号に分離し、既知信号出力部は、変調部からの出力がないときに、ユニークワード信号を一方の系統に与え、ユニークワード信号の符号を逆にした信号を他方の系統に与え、受信装置は、さらに、第２変換部の出力信号からユニークワード信号を検出したときに、タイミング信号を出力する検出部を備え、抽出部は、タイミング信号に基づいて、合成部から出力される信号を取得するスイッチを含む。
【００１３】
より好ましくは、変調部は、２系統の定振幅信号に分離し、増幅部は、所定の範囲で線形動作が可能な増幅器であり、補正部は、いずれか１つの系統に、第２変換部の出力信号の振幅を補正する振幅可変回路と位相を補正する位相可変回路とを含み、制御部は、振幅可変回路の振幅補正量および位相可変回路の位相補正量を制御する。
【００１４】
好ましくは、光アナログ伝送システムは、無線基地局システムに適用されるものであって、送信装置および受信装置のいずれかは、無線周波数帯へのアップコンバートを行なうアップコンバータを備え、受信装置は、合成部で合成された信号を無線端末に向けて送信する。
【発明の効果】
【００１５】
本発明によれば、複素包絡線信号が定振幅信号に分離されるので、第１変換部または第２変換部によって定振幅信号の振幅が変化しても複素包絡線信号の特徴が変化さず、複素包絡線信号の誤り率を少なくすることができる。また、第１変換部に入力される信号が一定振幅なので、帯域外スペクトルの発生も防止することもできる。
【発明を実施するための最良の形態】
【００１６】
以下、本発明の実施形態について、図面を用いて説明する。
【００１７】
［第１の実施形態］
本実施の形態は、ＬＩＮＣ（ＬＩｎｅａｒ  ａｍｐｌｉｃａｔｉｏｎ  ｕｓｉｎｇ  Ｎｏｎｌｉｎｅａｒ  Ｃｏｍｐｏｎｅｎｔｓ）変調を用いた光アナログ伝送システムに関する。
【００１８】
（構成）
図１は、第１の実施形態に係る光アナログ伝送システムの構成を示す。同図を参照して、この光アナログ伝送システム１００は、無線制御局１１０と、無線基地局１２０と、無線制御局１１０と無線基地局１２０とを接続する光ファイバーケーブル１３０，１４０とからなる。
【００１９】
無線制御局１１０は、ＬＩＮＣ変調部１０１と、アップコンバータ１０２，１０３と、電気／光変換部（Ｅ／Ｏ）１０４，１０５とを備える。無線基地局１２０は、光／電気変換部（Ｏ／Ｅ）１２１，１２２と、増幅器（ＨＰＡ）１２３，１２４と、信号合波部１２５と、アンテナ１２７とを備える。
【００２０】
ＬＩＮＣ変調部１０１には、変調された複素包絡線信号ｓ（ｔ）が入力される。複素包絡線信号ｓ（ｔ）は、２個の実信号Ｉ（ｔ），Ｑ（ｔ）により次のように書くことができる。
【００２１】
ｓ（ｔ）＝Ｉ（ｔ）＋ｊＱ（ｔ）＝Ａ（ｔ）ｅｘｐ（ｊθ（ｔ））・・・（Ａ１）
ただし、Ａ（ｔ）＝｛Ｉ2（ｔ）＋Ｑ2（ｔ）｝1/2・・・（Ａ１−１）
θ（ｔ）＝ｔａｎ-1（Ｑ（ｔ）／Ｉ（ｔ））・・・（Ａ１−２）
ｔは時刻、Ａ（ｔ）はｓ（ｔ）の振幅、ｊは虚数単位、θ（ｔ）はｓ（ｔ）の位相である。
【００２２】
ＬＩＮＣ変調部１０１は、複素包絡線信号ｓ（ｔ）を、次のように２系統の定振幅信号ｓ1（ｔ）とｓ2（ｔ）とに分離する。
【００２３】
ｓ（ｔ）＝ｓ1（ｔ）＋ｓ2（ｔ）・・・（Ａ２）
ｓ1（ｔ）＝Ｖｅｘｐ［ｊ（θ（ｔ）＋ψ（ｔ））］・・・（Ａ３）
ｓ2（ｔ）＝Ｖｅｘｐ［ｊ（θ（ｔ）−ψ（ｔ））］・・・（Ａ４）
ここで、Ｖは一定の振幅である。
【００２４】
式（Ａ１）、（Ａ３）、および（Ａ４）を式（Ａ２）に代入することにより、
Ａ（ｔ）ｅｘｐ（ｊθ（ｔ））＝Ｖｅｘｐ（ｊθ（ｔ））（ｅｘｐ（ｊψ（ｔ））＋ｅｘｐ（−ｊψ（ｔ））＝２Ｖｃｏｓ（ψ（ｔ））ｅｘｐ（ｊθ（ｔ））・・・（Ａ５）
となるので、Ｖm＝２Ｖとすると、
ψ（ｔ）＝ｃｏｓ-1（Ａ（ｔ）／Ｖm）・・・（Ａ６）
となる。なお、Ｖmは、ｓ（ｔ）の最大振幅であるｍａｘ［Ａ（ｔ）］以上に設定する必要がある。
【００２５】
ＬＩＮＣ変調部１０１は、さらに、次のように定振幅信号ｓ1（ｔ）およびｓ2（ｔ）の実部と虚部とを角周波数ωｃの搬送波で直交変調して、次のＬＩＮＣ変調信号を出力する。
【００２６】
ｓ1(1)（ｔ）＝Ｒｅ｛ｓ1（ｔ）ｅｘｐ（ｊωcｔ）｝＝Ｖｃｏｓ（ωcｔ＋θ（ｔ）＋ψ（ｔ））・・・（Ａ７）
ｓ2(1)（ｔ）＝Ｒｅ｛ｓ2（ｔ）ｅｘｐ（ｊωcｔ）｝＝Ｖｃｏｓ（ωcｔ＋θ（ｔ）−ψ（ｔ））・・・（Ａ８）
アップコンバータ１０２，１０３は、直交変調された信号ｓ1(1)（ｔ），ｓ2(1)（ｔ）を角周波数ωL0の信号と混合させて、次のように無線周波数帯へアップコンバートする。
【００２７】
ｓ1(2)（ｔ）＝Ｋｃｏｓ（ωcｔ＋θ（ｔ）＋ψ（ｔ）＋ωL0ｔ＋φ(2)）＝
Ｋｃｏｓ（ωrｔ＋θ（ｔ）＋ψ（ｔ）＋φ(2)）・・・（Ａ９）
ｓ2(2)（ｔ）＝Ｋｃｏｓ（ωcｔ＋θ（ｔ）−ψ（ｔ）＋ωL0ｔ＋φ(2)）＝
Ｋｃｏｓ（ωrｔ−θ（ｔ）＋ψ（ｔ）＋φ(2)）・・・（Ａ１０）
Ｋは、アップコンバート処理によって変化した振幅で定数、ωr＝ωc＋ωL0、φ(2)は、アップコンバート処理によって生じた位相遅れである。
【００２８】
ただし、近年、角周波数ωrで直交変調してアップコンバータなしで、直接無線周波数帯信号を出力する技術（ダイレクトコンバージョン）も実用化されている。このような技術を用いる場合、アップコンバータ１０２，１０３は、必要ない。
【００２９】
電気／光変換部（Ｅ／Ｏ）１０４，１０５は、それぞれレーザダイオードを含む回路であり、アップコンバートされた信号ｓ1(2)（ｔ），ｓ2(2)（ｔ）を光強度変調する。
【００３０】
光ファイバーケーブル１３０，１４０は、光強度変調信号を無線制御局１１０から無線基地局１２０へ伝送する。
【００３１】
光／電気変換部（Ｏ／Ｅ）１２１，１２２は、それぞれフォトダイオードを含む回路であり、光ファイバーケーブル１３０，１４０から受取った光強度変調信号を電気信号に変換する。
【００３２】
電気／光変換部（Ｅ／Ｏ）１０４，１０５と、光ファイバーケーブル１３０，１４０と、光／電気変換部（Ｏ／Ｅ）１２１，１２２は、光伝送部１３１，１４１を構成する。この光伝送部１３１，１４１において生じる非線形性は、電気／光変換部（Ｅ／Ｏ）１０４，１０５に含まれるレーザダイオードで生じるものがほとんどである。
【００３３】
光伝送部１３１，１４１は、アップコンバートされた信号ｓ1(2)（ｔ），ｓ2(2)（ｔ）より、次のような信号を出力する。
【００３４】
ｓ1(3)（ｔ）＝ｆ（Ｋ）ｃｏｓ（ωrｔ＋θ（ｔ）＋ψ（ｔ）＋φ(3)）・・・（Ａ１１）
ｓ2(3)（ｔ）＝ｆ（Ｋ）ｃｏｓ（ωrｔ＋θ（ｔ）−ψ（ｔ）＋φ(3)）・・・（Ａ１２）
となる。
【００３５】
ただし、ｆ（Ｋ）は、光伝送部１３１，１４１で変化した振幅であり、φ(3)は、光伝送部１３１，１４１で生じた位相遅れとφ(2)との和である。
【００３６】
増幅器（ＨＰＡ）１２３は、光／電気変換部（Ｏ／Ｅ）１２１から出力される信号ｓ1(3)（ｔ）を増幅して、第１系統の増幅信号ｓ1(4)（ｔ）を出力する。増幅器（ＨＰＡ）１２４は、光／電気変換部（Ｏ／Ｅ）１２２から出力される信号ｓ2(3)（ｔ）を増幅して、第２系統の増幅信号ｓ2(4)（ｔ）を出力する。
【００３７】
光伝送部出力から増幅器１２４，１２５までの振幅利得をＧとし、位相変化をφとすると、第１系統の増幅信号ｓ1(4)（ｔ）および第２系統の増幅信号ｓ2(4)（ｔ）は、次のようになる。
【００３８】
ｓ1(4)（ｔ）＝Ｇｆ（Ｋ）ｃｏｓ（ωrｔ＋θ（ｔ）＋ψ（ｔ）＋φ(4)）・・・（Ａ１３）
ｓ2(4)（ｔ）＝Ｇｆ（Ｋ）ｃｏｓ（ωrｔ＋θ（ｔ）−ψ（ｔ）＋φ(4)）・・・（Ａ１４）
ただし、φ(4)＝φ(3)＋φ
信号合波部１２５は、第１系統の増幅信号ｓ1(4)（ｔ）と第２系統の増幅信号ｓ2(4)（ｔ）とを加算して、合成信号ｙ（ｔ）を出力する。合成信号ｙ（ｔ）は、次のように表わされる。
【００３９】
ｙ（ｔ）＝ｓ1(4)（ｔ）＋ｓ2(4)（ｔ）＝Ｇｆ（Ｋ）ｃｏｓ（ωrｔ＋θ（ｔ）＋ψ（ｔ）＋φ(4)）＋Ｇｆ（Ｋ）ｃｏｓ（ωrｔ＋θ（ｔ）−ψ（ｔ）＋φ(4)）＝２Ｇｆ（Ｋ）ｃｏｓ（ωrｔ＋θ（ｔ）＋φ(4)）ｃｏｓψ（ｔ）・・（Ａ１５）
式（Ａ１５）は、式（Ａ６）を用いると、次のように変形される。
【００４０】
ｙ（ｔ）＝｛２Ｇｆ（Ｋ）／Ｖm｝Ａ（ｔ）ｃｏｓ（ωrｔ＋θ（ｔ）＋φ(4)）・・・（Ａ１６）
ここで、｛２Ｇｆ（Ｋ）／Ｖm｝は、定数である。
【００４１】
アンテナ１２７は、信号合波部１２５で合成された合成信号ｙ（ｔ）を無線端末へ向けて送信する。
【００４２】
以上のように、本実施の形態に係わる光アナログ伝送システムによれば、ＬＩＮＣ変調部１０１によって、複素包絡線信号の特徴が式（Ａ３），（Ａ４）に示されるように、２つの定振幅信号の位相で表現されるので、電気／光変換部（Ｅ／Ｏ）１０４，１０５、光／電気変換部（Ｏ／Ｅ）１２１，１２２、および増幅器（ＨＰＡ）１２３，１２４の入出力特性が非線形成分を持っていたとしても、式（Ａ１６）に示されるように、複素包絡線信号の振幅と位相を完全に再生できる。したがって、複素包絡線信号の誤り率が劣化することがなく、さらに、帯域外スペクトルの発生を抑制することができる。
【００４３】
［第２の実施形態］
本実施の形態は、２系統の伝送特性が相違する場合に、２系統の伝送特性の相違を小さくするように補正する光アナログ伝送システムに関する。
【００４４】
第１の実施形態では、２系統の伝送特性、すなわち、２系統の光／電気変換部（Ｏ／Ｅ）、電気／光変換部（Ｅ／Ｏ）、および増幅器の振幅と位相の通過特性が同一であったので、入出力特性の非線形性によって、複素包絡線信号の振幅と位相の情報を損なうことなく維持することができた。
【００４５】
しかしながら、実際には、光／電気変換部（Ｏ／Ｅ）、電気／光変換部（Ｅ／Ｏ）、および増幅器は、製造ばらつき、温度変化、または経年変化などにより、その特性が相違し、それによって２系統の伝送特性が相違する。２系統の伝送特性が相違する場合には、複素包絡線信号の振幅と位相の情報が維持されなくなる。
【００４６】
それゆえに、本実施の形態では、２系統の伝送特性の相違を小さくするように補正する光アナログ伝送システムに関する。
【００４７】
（構成）
図２は、第２の実施形態に係る光アナログ伝送システムの構成を示す。同図を参照して、この光アナログ伝送システム２００は、無線制御局２１０と、無線基地局２２０と、無線制御局２１０と無線基地局２２０とを接続する光ファイバーケーブル１３０，１４０とからなる。
【００４８】
無線制御局２１０は、図１に示す第１の実施形態における無線制御局１１０に、パイロット生成部２０１と、合波器２０２，２０３とが追加されている。また、図１に示す電気／光変換部（Ｅ／Ｏ）１０４，１０５に代えて、電気／光変換部（Ｅ／Ｏ）２０４，２０５が用いられている。
【００４９】
ＬＩＮＣ変調部１０１は、図１に示すものと同一である。
【００５０】
ＬＩＮＣ変調部１０１は、複素包絡線信号が入力されたとき、ＬＩＮＣ変調信号を出力する。
【００５１】
図３は、パイロット生成部２０１の詳細な構成を示す。同図に示すように、パイロット生成部２０１は、たとえば、１８０°ハイブリッドで構成される。パイロット生成部２０１は、パイロット信号として互いに逆相の２つのトーン信号（正弦波）を生成する。これらのトーン信号の角周波数ωpについては、後述する。
【００５２】
パイロット生成部２０１は、パイロット信号を出力する。
【００５３】
合波器２０２，２０３は、パイロット生成部２０１と、ＬＩＮＣ変調部１０１とに接続される。合波器２０２，２０３は、ＬＩＮＣ変調信号とパイロット信号とを交互に伝送する場合には、ＬＩＮＣ変調信号の伝送期間にＬＩＮＣ変調信号を出力し、パイロット信号の伝送期間にパイロット信号を出力する。合波器２０２，２０３は、ＬＩＮＣ変調信号とパイロット信号とを同時に伝送する場合には、ＬＩＮＣ変調信号とパイロット信号とを加算した信号を出力する。
【００５４】
アップコンバータ１０２，１０３は、合波器２０２，２０３から出力される信号を角周波数ωL0の信号と混合させて、無線周波数帯へアップコンバートする。
【００５５】
電気／光変換部（Ｅ／Ｏ）２０４，２０５は、それぞれレーザダイオードを含む回路であり、アップコンバータ１０２，１０３から出力された信号を光強度変調信号に変換する。
【００５６】
無線基地局２２０は、図１に示す第１の実施形態における無線基地局１２０に、振幅可変回路（Ａ）２０８と、位相可変回路（φ）２０９と、制御部２５４と、パイロット抽出部２５５と、スイッチ２１１と、フィルタ２４５とが追加されている。
【００５７】
また、無線基地局２２０では、図１における増幅器（ＨＰＡ）１２３，１２４が、それぞれ増幅器（ＨＰＡ）２０６，２０７に変更されている。また、図１に示す光／電気変換部（Ｏ／Ｅ）１２１，１２２に代えて、光／電気変換部（Ｏ／Ｅ）２２１，２２２が用いられている。
【００５８】
光／電気変換部（Ｏ／Ｅ）２２１，２２２は、それぞれフォトダイオードを含む回路であり、光ファイバーケーブル１３０，１４０から受取った光強度変調信号を電気信号に変換する。
【００５９】
電気／光変換部（Ｅ／Ｏ）２０４，２０５と、光ファイバーケーブル１３０，１４０と、光／電気変換部（Ｏ／Ｅ）２２１，２２２は、光伝送部２３１，２４１を構成する。この光伝送部２３１，２４１において生じる非線形性は、電気／光変換部（Ｅ／Ｏ）２０４，２０５に含まれるレーザダイオードで生じるものがほとんどである。
【００６０】
振幅可変回路（Ａ）２０８は、光／電気変換部（Ｏ／Ｅ）２２１から出力される信号の振幅を補正振幅係数α1倍する。補正振幅係数α1の値は可変で設定される。振幅可変回路（Ａ）２０８に入力される信号の振幅の値をＡとしたときに、出力される信号の振幅の値は、α1×Ａとなる。
【００６１】
位相可変回路（φ）２０９は、振幅可変回路（Ａ）２０８から出力される信号の位相に補正位相量β1を加える。補正位相量β1の値は可変で設定される。位相可変回路（φ）２０９に入力される信号の位相をＰとしたときに、出力される信号の位相は、Ｐ＋β1となる。
【００６２】
増幅器（ＨＰＡ）２０６は、位相可変回路（φ）２０９から出力される信号を増幅して、第１系統の増幅信号を出力する。増幅器（ＨＰＡ）２０６は、所定の範囲で線形動作が可能な増幅器であり、たとえばＡ級、ＡＢ級、Ｂ級、またはＣ級増幅器である。増幅器２０６の振幅利得をＧ1とし、位相変化をφ1とする。
【００６３】
増幅器（ＨＰＡ）２０７は、光／電気変換部（Ｏ／Ｅ）２２２から出力される信号を増幅して、第２系統の増幅信号を出力する。増幅器（ＨＰＡ）２０７は、所定の範囲で線形動作が可能な増幅器であり、たとえばＡ級、ＡＢ級、Ｂ級、またはＣ級増幅器である。増幅器２０７の振幅利得をＧ2とし、位相変化をφ2とする。
【００６４】
信号合波部１２５は、第１系統の増幅信号と第２系統の増幅信号とを加算して、合成信号を出力する。
【００６５】
アンテナ１２７は、信号合波部１２５で合成された信号を無線端末へ向けて送信する。
【００６６】
次に、ＬＩＮＣ変調部１０１から出力されるＬＩＮＣ変調信号と、パイロット生成部２０１から出力されるパイロット信号とを交互に伝送するときと、同時に伝送するときにおいて、各構成要素で生成される信号について説明する。
【００６７】
（１）  ＬＩＮＣ変調信号とパイロット信号とを交互に伝送するとき
（ＬＩＮＣ変調信号の伝送期間）
ＬＩＮＣ変調部１０１は、第１の実施形態と同様に、次のようなＬＩＮＣ変調信号を出力する。
【００６８】
ｓ1(1)（ｔ）＝Ｖｃｏｓ（ωcｔ＋θ（ｔ）＋ψ（ｔ））・・・（Ａ７）
ｓ2(1)（ｔ）＝Ｖｃｏｓ（ωcｔ＋θ（ｔ）−ψ（ｔ））・・・（Ａ８）
合波器２０２，２０３は、信号ｓ1(1)（ｔ），ｓ2(1)（ｔ）を出力する。
【００６９】
アップコンバータ１０２，１０３は、合波器２０２，２０３から信号ｓ1(1)（ｔ），ｓ2(1)（ｔ）を受けて、次のようなアップコンバートした信号を出力する。
【００７０】
ｓ1(2)（ｔ）＝Ｋ1ｃｏｓ（ωrｔ＋θ（ｔ）＋ψ（ｔ）＋ζ1(2)）・・・（Ａ１７）
ｓ2(2)（ｔ）＝Ｋ2ｃｏｓ（ωrｔ＋θ（ｔ）−ψ（ｔ）＋ζ2(2)）・・・（Ａ１８）
ただし、Ｋ1，Ｋ2は、アップコンバート処理によって変化した振幅で定数、ωr＝ωc＋ωL0、ζ1(2)，ζ2(2)は、アップコンバート処理によって生じた位相遅れである。
【００７１】
光伝送部２３１，２４１は、アップコンバータ１０２，１０３からアップコンバートされた信号ｓ1(2)（ｔ），ｓ2(2)（ｔ）を受けて、次のような信号を出力する。
【００７２】
ｓ1(3)（ｔ）＝ｆ1（Ｋ1）×ｃｏｓ（ωrｔ＋θ（ｔ）＋ψ（ｔ）＋ζ1(3)）・・・（Ａ１９）
ｓ2(3)（ｔ）＝ｆ2（Ｋ2）×ｃｏｓ（ωrｔ＋θ（ｔ）−ψ（ｔ）＋ζ2(3)）・・・（Ａ２０）
たたし、ｆ1（Ｋ1），ｆ2（Ｋ2）は、光伝送部２３１，２４１で変化した振幅であり、ζ1(3)，ζ2(3)は、それぞれ光伝送部２３１，２４１で生じた位相遅れとζ1(2)，ζ2(2)との和である。
【００７３】
振幅可変回路（Ａ）２０８は、光伝送部２３１から出力される信号ｓ1(3)（ｔ）を受けて、次のように振幅が補正された信号を出力する。振幅可変回路（Ａ）２０８でも位相遅れが生じるが、説明の便宜上、ここでは省略する。
【００７４】
ｓ1(4)′（ｔ）＝α1×ｆ1（Ｋ1）ｃｏｓ（ωrｔ＋θ（ｔ）＋ψ（ｔ）＋ζ1(3)）・・・（Ａ２１）
位相可変回路（φ）２０９は、振幅可変回路（Ａ）２０８から信号ｓ1(4)′（ｔ）を受けて、次のように位相が補正された信号を出力する。位相可変回路（φ）２０９でも振幅が変化するが、説明の便宜上、ここでは省略する。
【００７５】
ｓ1(4)″（ｔ）＝α1×ｆ1（Ｋ1）ｃｏｓ（ωrｔ＋θ（ｔ）＋ψ（ｔ）＋ζ1(3)＋β1）・・・（Ａ２２）
増幅器（ＨＰＡ）２０６は、位相可変回路（φ）２０９から信号ｓ1(4)″（ｔ）を受けて、次のような増幅信号を出力する。
【００７６】
ｓ1(4)（ｔ）＝Ｇ1α1×ｆ1（Ｋ1）ｃｏｓ（ωrｔ＋θ（ｔ）＋ψ（ｔ）＋ζ1(3)＋β1＋φ1）・・・（Ａ２３）
増幅器（ＨＰＡ）２０７は、光伝送部２４１から出力される信号ｓ2(3)（ｔ）を受けて、次のような増幅信号を出力する。
【００７７】
ｓ2(4)（ｔ）＝Ｇ2ｆ2（Ｋ2）ｃｏｓ（ωrｔ＋θ（ｔ）−ψ（ｔ）＋ζ2(3)＋φ2）・・・（Ａ２４）
信号合波部１２５は、増幅器（ＨＰＡ）２０６から信号ｓ1(4)（ｔ）と、増幅器（ＨＰＡ）２０７から信号ｓ2(4)（ｔ）とを受けて、次のような合成信号ｙｓ（ｔ）を出力する。
【００７８】
ｙｓ（ｔ）＝ｓ1(4)（ｔ）＋ｓ2(4)（ｔ）＝Ｇ1α1×ｆ1（Ｋ1）ｃｏｓ（ωrｔ＋θ（ｔ）＋ψ（ｔ）＋ζ1(3)＋β1＋φ1）＋Ｇ2ｆ2（Ｋ2）ｃｏｓ（ωrｔ＋θ（ｔ）−ψ（ｔ）＋ζ2(3)＋φ2）・・・（Ａ２５）
（パイロット信号の伝送期間）
パイロット生成部２０１は、次のようなパイロット信号を出力する。
【００７９】
ｐ1（ｔ）＝Ｋ0ｓｉｎ（ωpｔ）・・・（Ｂ１）
ｐ2（ｔ）＝Ｋ0ｓｉｎ（ωpｔ＋π）・・・（Ｂ２）
合波器２０２，２０３は、パイロット信号ｐ1（ｔ），ｐ2（ｔ）を出力する。
【００８０】
アップコンバータ１０２，１０３は、合波器２０２，２０３からパイロット信号ｐ1（ｔ），ｐ2（ｔ）を受けて、次のようなアップコンバートした信号を出力する。
【００８１】
ｐ1(2)（ｔ）＝Ｋp1ｓｉｎ（ωrpｔ＋ζ1(2)）・・・（Ｂ３）
ｐ2(2)（ｔ）＝Ｋp2ｓｉｎ（ωrpｔ＋π＋ζ2(2)）・・・（Ｂ４）
ただし、Ｋp1，Ｋp2は、アップコンバート処理によって変化した振幅で定数、ωrp＝ωp＋ωL0、ζ1(2)，ζ2(2)は、アップコンバート処理によって生じた位相遅れである。
【００８２】
光伝送部２３１，２４１は、アップコンバータ１０２，１０３からアップコンバートされた信号ｐ1(2)（ｔ），ｐ2(2)（ｔ）を受けて、次のような信号を出力する。
【００８３】
ｐ1(3)（ｔ）＝ｆ1（Ｋp1）×ｓｉｎ（ωrpｔ＋ζ1(3)）・・・（Ｂ５）
ｐ2(3)ｔ）＝ｆ2（Ｋp2）×ｓｉｎ（ωrpｔ＋π＋ζ2(3)）・・・（Ｂ６）
たたし、ｆ1（Ｋp1），ｆ2（Ｋp2）は、光強度変調によって変化した振幅であり、ζ1(3)，ζ2(3)は、それぞれ光強度変調によって生じた位相遅れとζ1(2)，ζ2(2)との和である。
【００８４】
振幅可変回路（Ａ）２０８は、光伝送部２３１から信号ｐ1(3)（ｔ）を受けて、次のように振幅が補正された信号を出力する。振幅可変回路（Ａ）２０８でも位相遅れが生じるが、説明の便宜上、ここでは省略する。
【００８５】
ｐ1(4)′（ｔ）＝α1×ｆ1（Ｋp1）ｓｉｎ（ωrpｔ＋ζ1(3)）・・・・・・（Ｂ７）
位相可変回路（φ）２０９は、振幅可変回路（Ａ）２０８から信号ｐ1(4)′（ｔ）を受けて、次のように位相が補正された信号を出力する。位相可変回路（φ）２０９でも振幅が変化するが、説明の便宜上、ここでは省略する。
【００８６】
ｐ1(4)″（ｔ）＝α1×ｆ1（Ｋp1）ｓｉｎ（ωrpｔ＋ζ1(3)＋β1）・・・（Ｂ８）
増幅器（ＨＰＡ）２０６は、位相可変回路（φ）２０９から信号ｐ1(4)″（ｔ）を受けて、次のような増幅信号を出力する。
【００８７】
ｐ1(4)（ｔ）＝Ｇ1α1×ｆ1（Ｋp1）ｓｉｎ（ωrpｔ＋ζ1(3)＋β1＋φ1）・・・（Ｂ９）
増幅器（ＨＰＡ）２０７は、光伝送部２４１から出力される信号ｐ2(3)（ｔ）を受けて、次のような増幅信号を出力する。
【００８８】
ｐ2(4)（ｔ）＝Ｇ2ｆ2（Ｋp2）ｓｉｎ（ωrpｔ＋π＋ζ2(3)＋φ2）・・・（Ｂ１０）
信号合波部１２５は、増幅器（ＨＰＡ）２０６から信号ｐ1(4)（ｔ）と、増幅器（ＨＰＡ）２０７から信号ｐ2(4)（ｔ）とを受けて、次のような合成信号ｙｐ（ｔ）を出力する。
【００８９】
ｙｐ（ｔ）＝ｐ1(4)（ｔ）＋ｐ2(4)（ｔ）＝Ｇ1α1×ｆ1（Ｋp1）ｓｉｎ（ωrpｔ＋ζ1(3)＋β1＋φ1）＋Ｇ2ｆ2（Ｋp2）ｓｉｎ（ωrpｔ＋π＋ζ2(3)＋φ2）・・・（Ｂ１１）
（２）  ＬＩＮＣ変調信号とパイロット信号とを同時に伝送するとき
ＬＩＮＣ変調部１０１は、次のようなＬＩＮＣ変調信号を出力する。
【００９０】
ｓ1(1)（ｔ）＝Ｖｃｏｓ（ωcｔ＋θ（ｔ）＋ψ（ｔ））・・・（Ａ７）
ｓ2(1)（ｔ）＝Ｖｃｏｓ（ωcｔ＋θ（ｔ）−ψ（ｔ））・・・（Ａ８）
パイロット生成部２０１は、次のようなパイロット信号を出力する。
【００９１】
ｐ1（ｔ）＝Ｋ0ｓｉｎ（ωpｔ）・・・（Ｂ１）
ｐ2（ｔ）＝Ｋ0ｓｉｎ（ωpｔ＋π）・・・（Ｂ２）
合波器２０２，２０３は、信号｛ｓ1(1)（ｔ）＋ｐ1（ｔ）｝，｛ｓ2(1)（ｔ）＋ｐ2（ｔ）｝を出力する。
【００９２】
アップコンバータ１０２，１０３は、合波器２０２，２０３から信号｛ｓ1(1)（ｔ）＋ｐ1（ｔ）｝，｛ｓ2(1)（ｔ）＋ｐ2（ｔ）｝を受けて、次のようなアップコンバートした信号を出力する。
【００９３】
ｂ1(2)（ｔ）＝ｓ1(2)（ｔ）＋ｐ1(2)（ｔ）・・・（Ｃ１）
ｂ2(2)（ｔ）＝ｓ2(2)（ｔ）＋ｐ2(2)（ｔ）・・・（Ｃ２）
ここで、ｓ1(2)（ｔ）は、式（Ａ１７）で表わされ、ｐ1(2)（ｔ）は、式（Ｂ３）で表わされ、ｓ2(2)（ｔ）は、式（Ａ１８）で表わされ、ｐ2(2)（ｔ）は、式（Ｂ４）で表わされる。
【００９４】
光伝送部２３１，２４１は、アップコンバータ１０２，１０３からアップコンバートされた信号ｂ1(2)（ｔ），ｂ2(2)（ｔ）を受けて、次のような信号を出力する。
【００９５】
ｂ1(3)（ｔ）＝ｓ1(3)（ｔ）＋ｐ1(3)（ｔ）・・・（Ｃ３）
ｂ2(3)（ｔ）＝ｓ2(3)（ｔ）＋ｐ2(3)（ｔ）・・・（Ｃ４）
ここで、ｓ1(3)（ｔ）は、式（Ａ１９）で表わされ、ｐ1(3)（ｔ）は、式（Ｂ５）で表わされ、ｓ2(3)（ｔ）は、式（Ａ２０）で表わされ、ｐ2(3)（ｔ）は、式（Ｂ６）で表わされる。
【００９６】
振幅可変回路（Ａ）２０８は、光伝送部２３１から信号ｂ1(3)（ｔ）を受けて、次のように振幅が補正された信号を出力する。振幅可変回路（Ａ）２０８でも位相遅れが生じるが、説明の便宜上、ここでは省略する。
【００９７】
ｂ1(4)′（ｔ）＝ｓ1(4)′（ｔ）＋ｐ1(4)′（ｔ）・・・（Ｃ５）
ここで、ｓ1(4)′（ｔ）は、式（Ａ２１）で表わされ、ｐ1(4)′（ｔ）は、式（Ｂ７）で表わされる。
【００９８】
位相可変回路（φ）２０９は、振幅可変回路（Ａ）２０８から信号ｂ1(4)′（ｔ）を受けて、次のように位相が補正された信号を出力する。位相可変回路（φ）２０９でも振幅が変化するが、説明の便宜上、ここでは省略する。
【００９９】
ｂ1(4)″（ｔ）＝ｓ1(4)″（ｔ）＋ｐ1(4)″（ｔ）・・・（Ｃ６）
ここで、ｓ1(4)″（ｔ）は、式（Ａ２２）で表わされ、ｐ1(4)″（ｔ）は、式（Ｂ８）で表わされる。
【０１００】
増幅器（ＨＰＡ）２０６は、位相可変回路（φ）２０９から信号ｂ1(4)″（ｔ）を受けて、次のような増幅信号を出力する。
【０１０１】
ｂ1(4)（ｔ）＝ｓ1(4)（ｔ）＋ｐ1(4)（ｔ）・・・（Ｃ７）
ここで、ｓ1(4)（ｔ）は、式（Ａ２３）で表わされ、ｐ1(4)（ｔ）は、式（Ｂ９）で表わされる。
【０１０２】
増幅器（ＨＰＡ）２０７は、光伝送部２４１から出力される信号ｂ2(3)（ｔ）を受けて、次のような増幅信号を出力する。
【０１０３】
ｂ2(4)（ｔ）＝ｓ2(4)（ｔ）＋ｐ2(4)（ｔ）・・・（Ｃ８）
ここで、ｓ2(4)（ｔ）は、式（Ａ２４）で表わされ、ｐ2(4)（ｔ）は、式（Ｂ１０）で表わされる。
【０１０４】
信号合波部１２５は、増幅器（ＨＰＡ）２０６から信号ｂ1(4)（ｔ）と、増幅器（ＨＰＡ）２０７から信号ｂ2(4)（ｔ）とを受けて、次のような合成信号ｙｂ（ｔ）を出力する。
【０１０５】
ｙｂ（ｔ）＝ｙｓ（ｔ）＋ｙｐ（ｔ）
＝Ｇ1α1×ｆ1（Ｋ1）ｃｏｓ（ωrｔ＋θ（ｔ）＋ψ（ｔ）＋ζ1(3)＋β1＋φ1）＋Ｇ2ｆ2（Ｋ2）ｃｏｓ（ωrｔ＋θ（ｔ）−ψ（ｔ）＋ζ2(3)＋φ2）＋Ｇ1α1×ｆ1（Ｋp1）ｓｉｎ（ωrpｔ＋ζ1(3)＋β1＋φ1）＋Ｇ2ｆ2（Ｋp2）ｓｉｎ（ωrpｔ＋π＋ζ2(3)＋φ2）・・・（Ｃ９）
再び、図２を参照して、無線基地局２２０は、パイロット抽出部２５５を備える。パイロット抽出部２５５は、信号合波部１２５から出力される信号から合成信号ｙｐ（ｔ）を抽出する。パイロット信号とＬＩＮＣ変調信号とが交互に伝送されているときには、抽出タイミングが正しければ、信号合波部１２５の出力は、合成信号ｙｐ（ｔ）だけになる。一方、パイロット信号とＬＩＮＣ変調信号とが同時に伝送されているときには、信号合波部１２５の出力は、合成信号ｙｂ（ｔ）、すなわち合成信号ｙｐ（ｔ）と合成信号ｙｓ（ｔ）の和となる。
【０１０６】
パイロット信号とＬＩＮＣ信号とが同時に伝送されている場合に、パイロット抽出部２５５において合成信号ｙｂ（ｔ）から合成信号ｙｐ（ｔ）だけを分離して取出すことを可能にするため、パイロット生成部２０１において、パイロット信号であるトーン信号の角周波数ωpを適切な値に設定する。すなわち、図４に示すように、ＬＩＮＣ変調信号によって生成された合成信号と、トーン信号によって生成された合成信号の周波数の領域が重ならないように、トーン信号の角周波数ωpを定める。パイロット信号とＬＩＮＣ変調信号を交互に伝送する場合は、ωpはωcと同じでもよい。ただし、トーン信号がアンテナから送信されないようトーン信号伝送時にスイッチ２１１をオフする必要がある。
【０１０７】
図５は、パイロット抽出部２５５の例である。同図を参照して、パイロット抽出部２５５は、ダウンコンバータ２１２と、フィルタ２１３と、Ａ／Ｄ変換器２１４とを備える。Ａ／Ｄ変換器２１４の代わりに、包絡線検波を用いる方法も考えられるが、ここでは省略する。
【０１０８】
ダウンコンバータ２０５は、信号合波部１２５から出力される信号をダウンコンバートする。フィルタ２１３は、合成信号に含まれるＬＩＮＣ変調信号によって生成された成分を除去し、パイロット信号によって生成された成分のみを抽出する。Ａ／Ｄ変換器２１４は、フィルタ２１３の出力を標本し、フィルタ２１３の出力信号の振幅の大きさを抽出するために用いる。
【０１０９】
ダウンコンバータ２０５は、パイロット信号のみが伝送されるときには、式（Ｂ１１）の信号を角周波数ωL0だけダウンコンバートした次の信号を出力する。
【０１１０】
ｙｐｄ（ｔ）＝Ｇ1α1×ｆ1（Ｋp1）ｓｉｎ（ωpｔ＋ζ1(3)＋β1＋φ1）＋Ｇ2ｆ2（Ｋp2）ｓｉｎ（ωpｔ＋π＋ζ2(3)＋φ2）・・・（Ｄ１）
一方、ＬＩＮＣ変調信号とパイロット信号とが同時に伝送されるときには、式（Ｃ９）の信号を角周波数ωL0だけダウンコンバートした次の信号を出力する。
【０１１１】
ｙｂｄ＝ｙｐｄ（ｔ）＋Ｇ1α1×ｆ1（Ｋ1）ｃｏｓ（ωcｔ＋θ（ｔ）＋ψ（ｔ）＋ζ1(3)＋β1＋φ1）＋Ｇ2ｆ2（Ｋ2）ｃｏｓ（ωcｔ＋θ（ｔ）−ψ（ｔ）＋ζ2(3)＋φ2）・・・（Ｄ２）
フィルタ２１３は、ハイパスフィルタ（ＨＰＦ）であり、ダウンコンバータ２１２から出力される信号の周波数成分のうち、カットオフ周波数ｆｃ以上の周波数成分のみを通過させる。
【０１１２】
図６は、カットオフ周波数ｆｃを示す図である。同図に示すように、カットオフ周波数ｆｃは、式（Ａ２５）の合成信号ｙｓ（ｔ）の角周波数をωL0だけダウンコンバートした周波数の領域の最大値と、式（Ｂ１１）の合成信号ｙｐ（ｔ）の角周波数をωL0だけダウンコンバートした周波数の領域の最小値との間に設定されている。
【０１１３】
このフィルタ２１３によって、パイロット信号とＬＩＮＣ変調信号とを交互に伝送するときだけでなく、パイロット信号とＬＩＮＣ変調信号とを同時に伝送するときにおいても式（Ｄ１）の信号のみが抽出される。
【０１１４】
Ａ／Ｄ変換器２１４は、フィルタ２１３を通過した信号の振幅値を制御部２５４に出力する。
【０１１５】
制御部２５４は、スイッチ２１１の開閉を制御する。
【０１１６】
フィルタ２４５は、ＬＩＮＣ変調信号とトーン信号とを同時に伝送する場合に、トーン信号を除去する。
【０１１７】
制御部２５４は、Ａ／Ｄ変換器２１４からの振幅値に基づいて、振幅可変回路（Ａ）２０８および位相可変回路（φ）２０９を制御する。
【０１１８】
２系統の伝送経路が同一のとき、すなわち、Ｇ1＝Ｇ2、φ1＝φ2、ζ1(3)＝ζ2(3)、およびｆ1（Ｋ1）＝ｆ2（Ｋ2）のときには、振幅可変回路（Ａ）２０８での振幅補正および位相可変回路（φ）２０９での位相補正を行なわなくても、Ａ／Ｄ変換器２１４の出力値は０となる。
【０１１９】
２系統の伝送経路が異なるときには、すなわち、Ｇ1≠Ｇ2、φ1≠φ2、ζ1(3)≠ζ2(3)、および／またはｆ1（Ｋ1）≠ｆ2（Ｋ2）のときには、振幅補正および／または位相補正を行なわなければ、Ａ／Ｄ変換器２１４の出力値は０とならない。したがって、制御部２５４は、Ａ／Ｄ変換器２１４から送られる信号の振幅値が小さくなるように、振幅可変回路（Ａ）２０８および位相可変回路（φ）２０９を制御する。
【０１２０】
（動作）
図７は、本実施の形態における補正振幅係数および補正位相量の調整処理の手順を示すフローチャートである。
【０１２１】
まず、無線基地局２２０では、制御部２５４は、補正振幅係数および補正位相量の調整前にはスイッチ２１１をオフにする（ステップＳ６０１）。
【０１２２】
パイロット生成部２０１で生成された式（Ｂ１），（Ｂ２）のトーン信号は、合成器２０２，２０３、アップコンバータ１０２，１０３、電気／光変換部（Ｅ／Ｏ）２０４，２０５、光ファイバーケーブル１３０，１４０、光／電気変換部（Ｏ／Ｅ）２２１，２２２、振幅可変回路２０８、位相可変回路２０９、増幅器（ＨＰＡ）２０６，２０７、信号合波部１２５を順次伝送されて、信号合波部１２５から式（Ｂ１１）の合成信号ｙｐ（ｔ）が出力される。無線基地局２２０のパイロット抽出部２５５は、信号合波部１２５から出力される、トーン信号（パイロット信号）に基づいて生成された合成信号ｙｐ（ｔ）をダウンコンバートして、式（Ｄ１）の信号ｙｐｄ（ｔ）を生成し、信号ｙｐｄ（ｔ）の振幅値を制御部２５４に出力する。
【０１２３】
無線基地局２１０の制御部２５４は、補正位相量β1の初期値を検索する。すなわち、制御部２５４は、図８（ａ）に示すように、位相可変回路２０９の位相補正量β1、すなわち、位相可変回路２０９に入力された信号の位相に加える位相量を粗い間隔（たとえば、１０度ずつ）で変えながら、パイロット抽出部２５５から送られる信号ｙｐｄ（ｔ）の振幅値を監視する。制御部２５４は、信号ｙｐｄ（ｔ）の振幅が最小となったときの位相可変回路２０９の補正位相量を特定し、位相可変回路２０９の補正位相量β1をこの特定した補正位相量に設定する（ステップＳ６０２）。
【０１２４】
次に、無線基地局２２０では、補正振幅係数α1の初期値を検索する。すなわち、制御部２５４は、図８（ｂ）に示すように、振幅可変回路２０８の補正振幅係数α1、すなわち、振幅可変回路２０８に入力された信号の振幅に乗じる係数を粗い間隔（たとえば、１ｄＢ）で変えながら、パイロット抽出部２５５から送られる信号ｙｐｄ（ｔ）の振幅値を監視する。制御部２５４は、信号ｙｐｄ（ｔ）の振幅が最小となったときの振幅可変回路２０８の補正振幅係数を特定し、振幅可変回路２０９の補正振幅係数α1をこの特定した補正振幅係数に設定する（ステップＳ６０３）。
【０１２５】
次に、制御部２５４は、補正位相量β1の最適値を降下法に基づいて探索する。すなわち、制御部２５４は、図８（ａ）に示すように、位相可変回路２０９の補正位相量β1をステップＳ６０２で特定した補正位相量を初期値として、細かい間隔（たとえば、１度ずつ）で、信号ｙｐｄ（ｔ）の振幅値が小さくなる方向に変化させる。制御部２５４は、パイロット抽出部２５５から送られる信号ｙｐｄ（ｔ）の振幅値が、前回変化させたときの信号ｙｐｄ（ｔ）の振幅値よりも小さいときには、位相可変回路２０９の補正位相量β1の変化を繰返させ、前回変化させたときの信号ｙｐｄ（ｔ）の振幅値以上のときには、位相可変回路２０９の補正位相量β1を前回の補正位相量に設定する（ステップＳ６０４）。
【０１２６】
次に、制御部２５４は、補正振幅係数α1の最適値を降下法に基づいて探索する。すなわち、制御部２５４は、図８（ｂ）に示すように、振幅可変回路２０８の補正振幅係数α1をステップＳ６０３で特定した補正振幅係数を初期値として、細かい間隔（たとえば、０．１ｄＢずつ）で、信号ｙｐｄ（ｔ）の振幅値が小さくなる方向に変化させる。制御部２５４は、パイロット抽出部２５５から送られる信号ｙｐｄ（ｔ）の振幅値が、前回変化させたときの信号ｙｐｄ（ｔ）の振幅値よりも小さいときには、振幅可変回路２０８の補正振幅係数α1の変化を繰返させ、前回変化させたときの信号ｙｐｄ（ｔ）の振幅値以上のときには、振幅可変回路２０８の補正振幅係数α1を前回の補正振幅係数に設定する（ステップＳ６０５）。
【０１２７】
無線基地局２２０では、補正振幅係数と補正位相量の収束後、制御部２５４は、スイッチ２１１をオンにする（ステップＳ６０６）。
【０１２８】
無線制御局２１０では、ＬＩＮＣ変調部１０１には複素包絡線信号が入力されて、式（Ａ７）の信号ｓ1(2)（ｔ）と式（Ａ８）の信号ｓ2(2)（ｔ）とが出力される。
【０１２９】
合波器２０２では、パイロット生成部２０１で生成された式（Ｂ１）のトーン信号ｐ1（ｔ）と式（Ａ７）の信号ｓ1(2)（ｔ）とが加算され、合波器２０３では、パイロット生成部２０１で生成された式（Ｂ２）のトーン信号ｐ2（ｔ）と式（Ａ８）の信号ｓ2(2)（ｔ）とが加算される。（同時伝送の場合は、加算されるが、交互に伝送する場合、ＬＩＮＣ信号の間にトーン信号が挿入される。）
これらの加算された信号は、アップコンバータ１０２，１０３、電気／光変換部（Ｅ／Ｏ）２０４，２０５、光ファイバーケーブル１３０，１４０、光／電気変換部（Ｏ／Ｅ）２２１，２２２、振幅可変回路２０８、位相可変回路２０９、増幅器（ＨＰＡ）２０６，２０７、信号合波部１２５を順次伝送されて、信号合波部１２５から式（Ｃ９）の合成信号ｙｂ（ｔ）が出力される。
【０１３０】
無線基地局２２０のパイロット抽出部２５５は、信号合波部１２５から出力される、トーン信号（パイロット信号）およびＬＩＮＣ変調信号に基づいて生成された合成信号ｙｂ（ｔ）をダウンコンバートして、式（Ｄ２）の信号ｙｂｄ（ｔ）を生成する。パイロット抽出部２５５では、信号ｙｂｄ（ｔ）から信号ｙｐｄ（ｔ）のみを抽出し、その振幅値を制御部２５４に出力する。
【０１３１】
次に、制御部２５４は、補正位相量β1の最適値を降下法に基づいて探索する。すなわち、制御部２５４は、位相可変回路２０９の補正位相量β1をステップＳ６０４で特定した補正位相量を初期値として、細かい間隔（たとえば、１度ずつ）で、信号ｙｐｄ（ｔ）の振幅値が小さくなる方向に変化させる。制御部２５４は、パイロット抽出部２５５から送られる信号ｙｐｄ（ｔ）の振幅値が、前回変化させたときの信号ｙｐｄ（ｔ）の振幅値よりも小さいときには、位相可変回路２０９の補正位相量β1の変化を繰返させ、前回変化させたときの信号ｙｐｄ（ｔ）の振幅値以上のときには、位相可変回路２０９の補正位相量β1を前回の補正位相量に設定する（ステップＳ６０７）。
【０１３２】
次に、制御部２５４は、補正振幅係数α1の最適値を降下法に基づいて探索する。すなわち、制御部２５４は、振幅可変回路２０８の補正振幅係数α1をステップＳ６０５で特定した補正振幅係数を初期値として、細かい間隔（たとえば、０．１ｄＢずつ）で、信号ｙｐｄ（ｔ）の振幅値が小さくなる方向に変化させる。制御部２５４は、パイロット抽出部２５５から送られる信号ｙｐｄ（ｔ）の振幅値が、前回変化させたときの信号ｙｐｄ（ｔ）の振幅値よりも小さいときには、振幅可変回路２０８の補正振幅係数α1の変化を繰返させ、前回変化させたときの信号ｙｐｄ（ｔ）の振幅値以上のときには、振幅可変回路２０８の補正振幅係数α1を前回の補正振幅係数に設定する（ステップＳ６０８）。
【０１３３】
ステップＳ６０７およびＳ６０８の処理は、温度変動などの要因で回路の特定が時間的に変動する場合に備えて実施するものである。特性が変化しない場合には、実施しなくてもよい。
【０１３４】
制御部２５４は、ＬＩＮＣ変調信号の伝送が引き続き行なわれるときには、ステップＳ６０７の補正位相量β1の最適値の探索、およびＳ６０８の補正振幅係数α1の最適値の探索を繰返し行ない、ＬＩＮＣ変調信号の伝送が終了したときには、スイッチ２１１をオフにする（ステップＳ６０９、Ｓ６１０）。
【０１３５】
以上のように、本実施の形態に係わる光アナログ伝送システムでは、２系統の伝送特性が相違する場合でも、振幅可変回路２０８および位相可変回路２０９によって、光伝送部２３１の出力信号の振幅および位相を補正することで、２系統の伝送特性の相違を小さくするように補正することができる。また、パイロット信号として、所定の周波数の互いに逆相のトーン信号を用いることによって、振幅可変回路２０８および位相補正回路２０９の補正量を適切に制御することができる。
【０１３６】
［第３の実施形態］
本実施の形態は、ユニークワード（以下、ＵＷ）をパイロット信号として用いて、２系統の伝送特性の相違を小さくするように補正する光アナログ伝送システムに関する。
【０１３７】
（構成）
図９は、第３の実施形態に係る光アナログ伝送システムの構成を示す。同図を参照して、この光アナログ伝送システム３００は、無線制御局３１０と、無線基地局３２０と、無線制御局３１０と無線基地局３２０とを接続する光ファイバーケーブル１３０，１４０とからなる。
【０１３８】
無線制御局３１０は、図２に示す第２の実施形態における無線制御局２１０におけるパイロット生成部２０１に代えて、パイロット生成部３０１が用いられ、合波器２０３，２０３に代えて、加算器３０２，減算器３０３が用いられている。
【０１３９】
パイロット生成部３０１は、パイロット信号として既知の信号であるＵＷ（ｔ）を生成して、加算器３０２，減算器３０３に出力する。本実施の形態では、図１０に示すように、パイロット信号とＬＩＮＣ変調信号とは、別々に伝送するので、パイロット生成部３０１は、ＬＩＮＣ変調信号が伝送されていない期間のみパイロット信号を出力する。
【０１４０】
アップコンバータ１０２，１０３は、加算器３０２，減算器３０３から出力される信号を角周波数ωL0の信号と混合させて、無線周波数帯へアップコンバートする。
【０１４１】
電気／光変換部（Ｅ／Ｏ）２０４，２０５は、それぞれレーザダイオードを含む回路であり、アップコンバータ１０２，１０３から出力された信号を光強度変調信号に変換する。
【０１４２】
無線基地局３２０は、図２に示す第２の実施形態における無線基地局２２０に、ＵＷ検出部３０６が追加されている。また、この無線基地局３２０では、図２におけるパイロット抽出部２５５と制御部２５４とに代えて、パイロット抽出部３０５と制御部３０４とが用いられている。
【０１４３】
以下、無線基地局３２０の各構成要素で生成される信号について説明する。
【０１４４】
光／電気変換部（Ｏ／Ｅ）２２１，２２２は、それぞれフォトダイオードを含む回路であり、光ファイバーケーブル１３０，１４０から受取った光強度変調信号を電気信号に変換する。
【０１４５】
電気／光変換部（Ｅ／Ｏ）２０４，２０５と、光ファイバーケーブル１３０，１４０と、光／電気変換部（Ｏ／Ｅ）２２１，２２２は、光伝送部２３１，２４１を構成する。この光伝送部２３１，２４１において生じる非線形性は、電気／光変換部（Ｅ／Ｏ）２０４，２０５に含まれるレーザダイオードで生じるものがほとんどである。
【０１４６】
振幅可変回路（Ａ）２０８は、光伝送部２３１から出力される信号の振幅を補正振幅係数α1倍する。補正振幅係数α1の値は可変で設定される。振幅可変回路（Ａ）２０８に入力される信号の振幅の値をＡとしたときに、出力される信号の振幅の値は、α1×Ａとなる。
【０１４７】
位相可変回路（φ）２０９は、振幅可変回路（Ａ）２０８から出力される信号の位相に補正位相量β1を加える。補正位相量β1の値は可変で設定される。位相可変回路（φ）２０９に入力される信号の位相をＰとしたときに、出力される信号の位相は、Ｐ＋β1とする。
【０１４８】
増幅器（ＨＰＡ）２０６は、位相可変回路（φ）２０９から出力される信号を増幅して、第１系統の増幅信号を出力する。増幅器２０６の振幅利得をＧ1とし、位相変化をφ1とする。
【０１４９】
増幅器（ＨＰＡ）２０７は、光伝送部２４１から出力される信号を増幅して、第２系統の増幅信号を出力する。増幅器２０７の振幅利得をＧ2とし、位相変化をφ2とする。
【０１５０】
信号合波部１２５は、第１系統の増幅信号と第２系統の増幅信号とを加算して、合成信号を出力する。
【０１５１】
アンテナ１２７は、信号合波部１２５で合成された信号を無線端末へ向けて送信する。
【０１５２】
次に、ＬＩＮＣ変調信号とパイロット信号とが交互に伝送されるときの各構成要素で生成される信号について説明する。
【０１５３】
（ＬＩＮＣ変調信号の伝送期間）
第２の実施形態と同様であり、要約すると以下のようになる。
【０１５４】
ＬＩＮＣ変調部１０１は、第１の実施形態と同様に、式（Ａ７）のＬＩＮＣ変調信号ｓ1(1)（ｔ），式（Ａ８）のＬＩＮＣ変調信号ｓ2(1)（ｔ）を出力する。
【０１５５】
加算器３０２，減算器３０３は、信号ｓ1(1)（ｔ），ｓ2(1)（ｔ）を出力する。
【０１５６】
アップコンバータ１０２，１０３は、式（Ａ１７）の信号ｓ1(2)（ｔ），式（Ａ１８）の信号ｓ2(2)（ｔ）を出力する。
【０１５７】
光伝送部２３１，２４１は、式（Ａ１９）の信号ｓ1(3)（ｔ），式（Ａ２０）の信号ｓ2(3)（ｔ）を出力する。
【０１５８】
振幅可変回路（Ａ）２０８は、式（Ａ２１）の信号ｓ1(4)′（ｔ）を出力する。
【０１５９】
位相可変回路（φ）２０９は、式（Ａ２２）の信号ｓ1(4)″（ｔ）を出力する。
【０１６０】
増幅器（ＨＰＡ）２０６は、式（Ａ２３）の増幅信号ｓ1(4)（ｔ）を出力する。
【０１６１】
増幅器（ＨＰＡ）２０７は、式（Ａ２４）の増幅信号ｓ2(4)（ｔ）を出力する。
【０１６２】
信号合波部１２５は、式（Ａ２５）の合成信号ｙｓ（ｔ）を出力する。
【０１６３】
（パイロット信号の伝送期間）
パイロット生成部３０１は、次のようなパイロット信号を出力する。
【０１６４】
ｐ（ｔ）＝ＵＷ（ｔ）・・・（Ｅ１）
ここで、ＵＷ（ｔ）は、既知の信号である。
【０１６５】
加算器３０２，減算器３０３は、パイロット信号ｐ（ｔ）を受けて、次の信号を出力する。
【０１６６】
ｐ1（ｔ）＝ＵＷ（ｔ）・・・（Ｅ２）
ｐ2（ｔ）＝−ＵＷ（ｔ）・・・（Ｅ３）
アップコンバータ１０２，１０３は、加算器３０２，減算器３０３から信号ｐ1（ｔ），ｐ2（ｔ）を受けて、次のようなアップコンバートした信号を出力する。
【０１６７】
ｐ1(2)（ｔ）＝ＵＷ1（ｔ）ｃｏｓ（ωL0ｔ＋ζ1(2)）・・・（Ｅ４）
ｐ2(2)（ｔ）＝−ＵＷ2（ｔ）ｃｏｓ（ωL0ｔ＋ζ2(2)）・・・（Ｅ５）
ただし、ＵＷ1（ｔ），ＵＷ2（ｔ）は、アップコンバート処理によって変化した振幅、ζ1(2)，ζ2(2)は、アップコンバート処理によって生じた位相遅れである。
【０１６８】
光伝送部２３１，２４１は、アップコンバータ１０２，１０３からアップコンバートされた信号ｐ1(2)（ｔ），ｐ2(2)（ｔ）を受けて、次のような信号を出力する。
【０１６９】
ｐ1(3)（ｔ）＝ｆ1（ＵＷ1（ｔ））ｃｏｓ（ωL0ｔ＋ζ1(3)）・・・（Ｅ６）
ｐ2(3)（ｔ）＝−ｆ2（ＵＷ2（ｔ））ｃｏｓ（ωL0ｔ＋ζ2(3)）・・・（Ｅ７）
ただし、ｆ1（ＵＷ1（ｔ）），ｆ2（ＵＷ2（ｔ））は、光伝送部２３１，２４１によって変化した振幅であり、ζ1(3)，ζ2(3)は、それぞれ光伝送部２３１，２４１によって生じた位相遅れとζ1(2)，ζ2(2)との和である。
【０１７０】
振幅可変回路（Ａ）２０８は、光伝送部２３１から出力される信号ｐ1(3)（ｔ）、次のように振幅が補正された信号を出力する。振幅可変回路（Ａ）２０８でも位相遅れが生じるが、説明の便宜上、ここでは省略する。
【０１７１】
ｐ1(4)′（ｔ）＝α1ｆ1（ＵＷ1（ｔ））ｃｏｓ（ωL0ｔ＋ζ1(3)）・・・・・・（Ｅ８）
位相可変回路（φ）２０９は、振幅可変回路（Ａ）２０８から信号ｐ1(4)′（ｔ）を受けて、次のように位相が補正された信号を出力する。位相可変回路（φ）２０９でも振幅が変化するが、説明の便宜上、ここでは省略する。
【０１７２】
ｐ1(4)″（ｔ）＝α1ｆ1（ＵＷ1（ｔ））ｃｏｓ（ωL0ｔ＋ζ1(3)＋β1）・・・（Ｅ９）
増幅器（ＨＰＡ）２０６は、位相可変回路（φ）２０９から信号ｐ1(4)″（ｔ）を受けて、次のような増幅信号を出力する。
【０１７３】
ｐ1(4)（ｔ）＝Ｇ1α1ｆ1（ＵＷ1（ｔ））ｃｏｓ（ωL0ｔ＋ζ1(3)＋φ1＋β1）・・・（Ｅ１０）
増幅器（ＨＰＡ）２０７は、光伝送部２４１から出力される信号ｐ2(3)（ｔ）を受けて、次のような増幅信号を出力する。
【０１７４】
ｐ2(4)（ｔ）＝−Ｇ2ｆ2（ＵＷ2（ｔ））ｃｏｓ（ωL0ｔ＋ζ2(3)＋φ2）・・・（Ｅ１１）
信号合波部１２５は、増幅器（ＨＰＡ）２０６から信号ｐ1(4)（ｔ）と、増幅器（ＨＰＡ）２０７から信号ｐ2(4)（ｔ）とを受けて、次のような合成信号ｙｐ（ｔ）を出力する。
【０１７５】
ｙｐ（ｔ）＝ｐ1(4)（ｔ）＋ｐ2(4)（ｔ）＝Ｇ1α1ｆ1（ＵＷ1（ｔ））ｃｏｓ（ωL0ｔ＋ζ1(3)＋φ1＋β1）−Ｇ2ｆ2（ＵＷ2（ｔ））ｃｏｓ（ωL0ｔ＋ζ2(3)＋φ2）・・・（Ｅ１２）
再び、図９を参照して、無線基地局３２０は、ＵＷ検出部３０６を含む。
【０１７６】
図１１は、ＵＷ検出部３０６の詳細な構成を示す。同図を参照して、ＵＷ検出部３０６は、ダウンコンバータ３１１と、Ａ／Ｄ変換器３１２と、参照信号メモリ３１３と、相関計算機３１４と、判定器３１５とを備える。
【０１７７】
ダウンコンバータ３１１は、光伝送部２３１から出力される信号を各周波数ωL0だけダウンコンバートする。
【０１７８】
パイロット信号が伝送されているときには、式（Ｅ６）の信号がダウンコンバートされて、次の信号が出力される。
【０１７９】
Ｄｐ（ｔ）＝ｆ1（ＵＷ1（ｔ））ｃｏｓ（ζ1(3)）・・・（Ｆ１）
ＬＩＮＣ変調信号が伝送されているときには、式（Ａ１９）の信号がダウンコンバートされて、次の信号が出力される。
【０１８０】
Ｄｓ（ｔ）＝ｆ1（Ｋ1）×ｃｏｓ（ωcｔ＋θ（ｔ）＋ψ（ｔ）＋ζ1(3)）・・・（Ｆ２）
Ａ／Ｄ変換器３１２は、ダウンコンバータ３１１から出力される信号の振幅値を出力する。参照信号メモリ３１３は、参照信号としてＵＷ（ｔ）を記憶する。
【０１８１】
相関計算機３１４は、参照信号メモリ３１３内のＵＷ（ｔ）と、Ａ／Ｄ変換器３１２から出力される信号の振幅値との相関値を計算する。パイロット信号が伝送されているときには、ＵＷ（ｔ）と、式（Ｆ１）との相関値が計算されるので、計算された相関値の値は大きい。一方、ＬＩＮＣ変調信号が伝送されているときには、ＵＷ（ｔ）と、式（Ｆ２）との相関値が計算されるので、計算された相関値の値は小さい。
【０１８２】
判定器３１５は、相関計算機３１４で計算された相関値が所定値以上のときに、タイミング信号をパイロット抽出部３０５に出力する。
【０１８３】
再び、図９を参照して、無線基地局３２０は、パイロット抽出部３０５を含む。
【０１８４】
図１２は、パイロット抽出部３０５の構成を示す。同図を参照して、パイロット抽出部３０５は、スイッチ３１６と、ダウンコンバータ３１７と、Ａ／Ｄ変換器３１８とを備える。スイッチ３１６は、Ａ／Ｄ変換器の後に配置することもできるが、ここでは、図１２の場合を説明する。
【０１８５】
スイッチ３１６は、ＵＷ検出部３０６からタイミング信号を受けたときに、オンとなる。
【０１８６】
ダウンコンバータ３１７は、スイッチ３１６がオンのときに、信号合波部１２５から出力される合成信号を各周波数ωL0だけダウンコンバートする。
【０１８７】
ダウンコンバータは、式（Ｅ１２）の信号がダウンコンバートされて、次の信号を出力する。
【０１８８】
ｙｐｄ（ｔ）＝Ｇ1α1ｆ1（ＵＷ1（ｔ））ｃｏｓ（ζ1(3)＋β1＋φ1）−Ｇ2ｆ2（ＵＷ2（ｔ））ｃｏｓ（ζ2(3)＋φ2）・・・（Ｆ３）
Ａ／Ｄ変換器３１８は、ダウンコンバートされた信号の振幅値を出力する。
【０１８９】
制御部３０４は、スイッチ２１１の開閉を制御する。
【０１９０】
制御部３０４は、パイロット抽出部３０５から送られる信号の振幅値が小さくなるように、第２の実施形態と同様にして、振幅可変回路（Ａ）２０８および位相可変回路（φ）２０９を制御する。
【０１９１】
（変形例）
本発明は、上記実施の形態に限定されるものではなく、以下の変形例も当然ながら包含する。
【０１９２】
（１）  増幅器
本発明の実施形態では、各系統に増幅器を置いたが、増幅を要しない場合には、各系統に増幅器を置かなくてもよい。また、増幅が必要な場合でも、信号合波部の前段の各系統に増幅器を置くのではなく、信号合波部の後段に１つの増幅器を置くものとしてもよい。
【０１９３】
このように増幅器を置かない場合でも、第１の実施形態では、各構成機器の入出力特性が非線形成分を持っていたとしても、複素包絡線信号の振幅と位相を完全に再生できる。また、第２〜第３の実施形態では、２系統間の振幅および位相のずれを補正することができる。
【０１９４】
たとえば、第１の実施形態では、信号合波部１２５は、光伝送部の出力信号ｓ1(3)（ｔ），ｓ2(3)（ｔ）とを加算して、次のような合成信号ｙｎ（ｔ）を出力する。
【０１９５】
ｙｎ（ｔ）＝ｓ1(3)（ｔ）＋ｓ2(3)（ｔ）＝ｆ（Ｋ）ｃｏｓ（ωrｔ＋θ（ｔ）＋ψ（ｔ）＋φ(3)）＋ｆ（Ｋ）ｃｏｓ（ωrｔ＋θ（ｔ）−ψ（ｔ）＋φ(3)）＝２ｆ（Ｋ）ｃｏｓ（ωrｔ＋θ（ｔ）＋φ(3)）ｃｏｓψ（ｔ）・・（Ａ２６）
式（Ａ３１）は、式（Ａ６）を用いると、次のように変形される。
【０１９６】
ｙｎ（ｔ）＝｛２ｆ（Ｋ）／Ｖm｝Ａ（ｔ）ｃｏｓ（ωrｔ＋θ（ｔ）＋φ(3)）・・・（Ａ３２）
ここで、｛２ｆ（Ｋ）／Ｖm｝は、定数である。
【０１９７】
（２）  光ファイバーケーブル
本発明の実施形態では、各系統ごとに光ファイバーケーブルを備えたが、これに限定するものではない。１本の光ファイバーケーブルによって、アップコンバータ１０２，１０３の出力信号を多重伝送するものとしてもよい。
【０１９８】
（３）  アップコンバータの位置
本発明の実施形態では、無線周波数帯にアップコンバートするアップコンバータ１０２，１０３を、無線制御局のＬＩＮＣ変調部１０１と、電気／光変換部１０４，１０５との間に置いたが、これに限定するものではなく、任意の位置に置くことができる。たとえば、無線基地局側に置くものとしてもよい。
【０１９９】
（４）  パイロット信号
本発明の第２の実施形態では、ＬＩＮＣ変調信号の通信開始前に、トーン信号のみを伝送し、ＬＩＮＣ変調信号の通信開始後は、トーン信号とＬＩＮＣ変調信号を伝送するものとしたが、これに限定するものではない。ＬＩＮＣ変調信号の通信開始後であっても、ＬＩＮＣ変調信号が連続して送信されるのではなく、断続的に送信される場合には、第３の実施形態と同様に、ＬＩＮＣ変調信号の送信期間にはＬＩＮＣ変調信号のみを伝送し、ＬＩＮＣ変調信号の送信期間以外にはトーン信号のみを伝送するものとしてもよい。
【０２００】
本発明の第２の実施形態では、パイロット信号のみを伝送する期間は、スイッチ２１１をオフにし、本発明の第３の実施形態では、パイロット信号を送信する期間は、スイッチ２１１をオフにしたが、これに限定するものではなく、スイッチ２１１をオンのままにしておき、無線端末側で受信した信号からパイロット信号を捨てるものとしてもよい。
【０２０１】
本発明の実施形態では、ＬＩＮＣ変調信号の非伝送期間のすべての期間でパイロット信号の伝送を行なったが、これに限定するものではなく、ＬＩＮＣ変調信号の非伝送期間の一部の期間のみでパイロット信号の伝送を行なうものとしてもよい。
【０２０２】
本発明の実施形態では、パイロット信号としてトーン信号とユニークワードを用いた場合について説明したが、これに限定するものではない。２つの系統に与える信号の和が零となるような既知の信号であれば、パイロット信号はどのようなものであってもよい。
【０２０３】
（５）  複数系統に分離
本発明の実施形態では、ＬＩＮＣ変調部によって、２系統の定振幅信号に分離したが、ｎ個（ｎ＞３）の系統の定振幅信号に分離するものとしてもよい。
【０２０４】
このように、ｎ個（ｎ＞３）の系統に分離した場合には、第２〜第３の実施形態では、ｎ個の系統に与えるパイロット信号の総和が零となるようにすればよい。あるいは、ｎ個の系統のうち、２つの系統を順次選択し、選択した系統に和が零となる２つのパイロット信号を与えるものとしてもよい。
【０２０５】
また、ｎ個の系統に分離した場合には、第２、第３の実施形態では、１つの系統を除く（ｎ−１）個の系統に振幅可変回路と位相可変回路を置けばよい。また、このように、（ｎ−１）個、ｎ個のように多数の系統に振幅可変回路または位相可変回路を置くことができない場合には、少数の系統にのみ振幅可変回路または位相回路を置くものとしてもよい。このように少数の系統にのみ振幅可変回路または位相回路を置く場合には、多数の系統に置く場合よりも、系統間のずれの補正の効果は弱められるが、まったく補正しない場合よりも優れているといえる。
【０２０６】
（６）  ＬＩＮＣ変調部の出力を補正
本発明の第２〜第３の実施形態では、パイロット信号を用いて、光／電気変換部の出力信号の振幅または位相を補正するものとしたが、たとえば、公知文献（流田理一郎、府川和彦、鈴木博、「最小２乗法によるＬＩＮＣ用送信電力増幅器の振幅・位相バランス調整法」、電子情報通信学会技術報告、２００１、Ｖｏｌ.１０１、Ｎｏ．４３６、ｐ．７−１２）に記載しているように、信号合波部の出力を無線制御局に送り、無線制御局で、ＬＩＮＣ変調部の出力と信号合波部の出力に基づいて、ＬＩＮＣ変調部の出力信号の振幅または位相を補正するものとしてもよい。
【０２０７】
（７）  フィルタ
本発明の第２の実施形態におけるパイロット抽出部では、ハイパスフィルタを用いて、信号合波部から出力される合成信号からパイロット信号によって生成された信号成分のみを抽出したが、これに限定するものではない。パイロット信号によって生成された信号成分のみが、ローパスフィルタによって抽出できるなら、ローパスフィルタを用い、特定の範囲のバンドパスフィルタによって抽出できるなら、そのようなバンドパスフィルタを用いればよい。また、フィルタによっては、ＬＩＮＣ変調信号によって生成された信号成分が完全に除去できなくても、パイロット信号によって生成された信号成分に比べて、それが相対的に少量であれば、なにも補正を行なわない場合に比べて優れているといえる。
【０２０８】
（８）  第１の実施形態の伝送特性
本発明の第１の実施形態では、２つの伝送経路の特性が完全に同一として説明したが、完全に同一でなくても、従来例よりも優れている場合もある。
【０２０９】
すなわち、２つの伝送経路の特性の相違によって起こる誤り率の増加などの悪影響が、従来例（非特許文献１）に記載のようにレーザダイオードの非線形によって起こる誤り率の増加などの悪影響に比べて、相対的に小さければ、第１の実施形態において伝送経路の特性が若干異なっていても、従来例よりも優れているといえる。
【０２１０】
（９）  ＣＡＴＶ
本発明の実施形態では、無線制御局を送信装置、無線基地局を受信装置とした光アナログ伝送システムについて説明したが、これに限定するものではなく、その他の用途にも用いることができる。たとえば、ＣＡＴＶ放送に用いるものとしてもよい。ＣＡＴＶ放送に用いる場合には、送信装置がＣＡＴＶ放送局となり、受信装置がＣＡＴＶ受信局になる。受信装置では、信号合波部から出力される合成信号をアンテナの代りにテレビ装置に出力する。
【０２１１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０２１２】
【図１】第１の実施形態に係わる光アナログ伝送システムの構成を示す図である。
【図２】第２の実施形態に係わる光アナログ伝送システムの構成を示す図である。
【図３】第２の実施形態に係わるパイロット生成部の構成を示す図である。
【図４】ＬＩＮＣ変調信号による合成信号ｙｓ（ｔ）の周波数とトーン信号による合成信号ｙｐ（ｔ）の周波数を示す図である。
【図５】第２の実施形態に係わるパイロット抽出部の構成を示す図である。
【図６】ハイパスフィルタのカットオフ周波数を示す図である。
【図７】第２の実施形態に係わる補正振幅係数および補正位相量の調整処理の手順を示すフローチャートである。
【図８】（ａ）は、補正振幅係数の初期値検索および最適値探索の過程を例示する図であり、（ｂ）は、補正位相量の初期値検索および最適値探索の過程を例示する図である。
【図９】第３の実施形態に係わる光アナログ伝送システムの構成を示す図である。
【図１０】ＬＩＮＣ変調信号とＵＷの伝送期間を示す図である。
【図１１】ＵＷ検出器の構成を示す図である。
【図１２】第３の実施形態に係わるパイロット抽出部の構成を示す図である。
【符号の説明】
【０２１３】
１００，２００，３００  光アナログ伝送システム、１１０，２１０，３１０  無線制御局、１２０，２２０，３２０  無線基地局、１０１  ＬＩＮＣ変調部、１０２，１０３  アップコンバータ、１０４，１０５，２０４，２０５  電気／光変換部、１２１，１２２，２２１，２２２  光／電気変換部、１３０，１４０  光ファイバーケーブル、１２３，１２４，２０６，２０７  増幅器、１２５  信号合波部、１２７  アンテナ、２０１，３０１  パイロット生成部、２５４，３０４  制御部、２５５，３０５  パイロット抽出部、２１１，３１６  スイッチ、３０６  ＵＷ検出部、２０８  振幅可変回路、２０９  位相可変回路、２１２，３１１，３１７  ダウンコンバータ、２１３，２４５  フィルタ、２１４，３１２，３１８  Ａ／Ｄ変換器、３１３  参照信号メモリ、３１４  相関計算機、３１５  判定器、１３１，１４１，２３１，２４１  光伝送部，２０２，２０３  合波器、３０２  加算器、３０３  減算器。
【図１】
2005079855.tif 000003
【図２】
2005079855.tif 000004
【図３】
2005079855.tif 000005
【図４】
2005079855.tif 000006
【図５】
2005079855.tif 000007
【図６】
2005079855.tif 000008
【図７】
2005079855.tif 000009
【図８】
2005079855.tif 000010
【図９】
2005079855.tif 000011
【図１０】
2005079855.tif 000012
【図１１】
2005079855.tif 000013
【図１２】
2005079855.tif 000014